(57)【要約】【課題】  従来のスノーボード用ビンディングのトゥーストラップはブーツの爪先の上部のみを締付けているだけなので、爪先の先端方向では遊びができてしまい、十分にブーツを締付けることができなかった。【解決手段】  本発明のスノーボード用ビンディングは、ベースプレートと、このベースプレートの一側にその一端を取り付けた一方のバンドと、上記ベースプレートの他側にその一端を取り付けた他方のバンドと、上記両バンドの他端間を連結するバックルとよりなり、上記一方及び他方のバンドの何れか一方がブーツの爪先の先端を締付ける部分と、ブーツの爪先の上部分を締付ける部分とを有することを特徴とする。上記ブーツの爪先の先端と上部分とを締付ける部分はパッドである。上記バックルは上記パッド上に設けられている。上記パッドはクッション性があるか、伸縮性を有する。【選択図】  図１
2004154593.tif 000002
【特許請求の範囲】
【請求項１】
ベースプレートと、このベースプレートの一側にその一端を取り付けた一方のバンドと、上記ベースプレートの他側にその一端を取り付けた他方のバンドと、上記両バンドの他端間を連結するバックルとよりなり、上記一方及び他方のバンドの何れか一方がブーツの爪先の先端を締付ける部分と、ブーツの爪先の上部分を締付ける部分とを有することを特徴とするスノーボード用ビンディング。
【請求項２】
上記ブーツの爪先の先端と上部分とを締付ける部分がパッドであることを特徴とする請求項１記載のスノーボード用ビンディング。
【請求項３】
上記バックルが上記パッド上に設けられていることを特徴とする請求項２記載のスノーボード用ビンディング。
【請求項４】
上記パッドがクッション性を有することを特徴とする請求項２または３記載のスノーボード用ビンディング。
【請求項５】
上記パッドが伸縮性を有することを特徴とする請求項２または３記載のスノーボード用ビンディング。
【発明の詳細な説明】
【技術分野】
【０００１】
本発明はスノーボード用ビンディングに関するものである。
【背景技術】
【０００２】
図７は、従来のスノーボード用ビンディングの説明図であって、１はスノーボード本体（図示せず）に固定されるベースプレート、２はブーツ、３は上記ブーツ２の後面に対接されるよう上記ベースプレート１の後端に固定されたバックサポート、４は上記バックサポート３の内側面に取り付けられたクッション、５は上記ブーツ２の甲部を締め付けるため上記ベースプレート１に設けたアンクルストラップ、６は上記アンクルストラップ５の内側面に取り付けられたアンクルストラップパッド、７はブーツ２のつま先を締め付けるため上記ベースプレート１に設けたトゥーストラップ、８は上記トゥーストラップ７の内側面に取り付けられたトゥーストラップパッドを示す。
【０００３】
図８は上記トゥーストラップ７の詳細説明図であって、９aはその一端を上記ベースプレート１の一側の立ち上がり部１０に固定した一方のバンド、９bは上記ベースプレート１の他側の立ち上がり部１０にその一端を固定した他方のバンド、１１は上記一方のバンド９aの遊端に連結したバックル、１２はこのバックル１１に連結したラチェットベルト、１３は上記他方のバンド９bに上記ラチェットベルト１２を連結するために設けたラチェット爪を有するロック部を示す。
【０００４】
なお、アンクルストラップ５は、上記トゥーストラップ７と同一の構成を有する。
【０００５】
このような従来のスノーボード用ビンディングにおいてはベースプレート１にブーツ２を装着するとき、上記アンクルストラップ５及びトゥーストラップ７のラチェットベルト１２とロック部１３の係合を外し、一方及び他方のバンド９a、９bを両手で互いに分離した後、ブーツ２を上記ベースプレート１にその上方から乗せ、図３０、図３１に示すようにラチェットベルト１２をラチェット爪を有するロック部１３に挿入し、バックル１１を締めてブーツの甲及びつま先をベースプレート１に固定せしめている。
【特許文献１】特開平９−６７８号公報（図１）
【発明の開示】
【発明が解決しようとする課題】
【０００６】
このような従来のビンディングにおいては、トゥーストラップ７は爪先の上部から締め付けているだけであるため、爪先方向では遊びが出てしまい、十分にブーツを締付けることができなかった。
【０００７】
本発明は上記のような欠点を除くようにしたものである。
【課題を解決するための手段】
【０００８】
本発明のスノーボード用ビンディングは、ベースプレートと、このベースプレートの一側にその一端を取り付けた一方のバンドと、上記ベースプレートの他側にその一端を取り付けた他方のバンドと、上記両バンドの他端間を連結するバックルとよりなり、上記一方及び他方のバンドの何れか一方がブーツの爪先の先端を締付ける部分と、ブーツの爪先の上部分を締付ける部分とを有することを特徴とする。
【０００９】
本発明のスノーボード用ビンディングにおいては、上記ブーツの爪先の先端と上部分とを締付ける部分は、パッドであることを特徴とする。
【００１０】
上記バックルは、上記パッド上に設けられていることを特徴とする。
【００１１】
上記パッドは、クッション性を有することを特徴とする。
【００１２】
上記パッドは、伸縮性を有することを特徴とする。
【発明の効果】
【００１３】
上記のように本発明のスノーボード用ビンディングにおいては、爪先の上部と爪先を同時に締付けることができ、爪先方向に遊びを生ずることなくブーツを確実にスノーボード用ビンディングに固定できる等大きな利益がある。
【発明を実施するための最良の形態】
【００１４】
以下図面によって本発明の実施例を説明する。
【実施例１】
【００１５】
本発明のスノーボード用ビンディングにおいては、従来のトゥーストラップ７のバンド９a、９bの一方例えば９aの遊端にブーツの爪先の上部分を締付ける一方のベルト１４aと、ブーツの爪先の先端を締付ける他方のベルト１４bとよりなるバンド１５の一端を固定し、このバンド１５の他端にバックル１６を取り付け、このバックル１６にバンド９bの一端を挿入し締め付けるようにすると共に、上記ベルト１４aと１４bの下側に伸縮自在なパッドまたは連結部材１７を固定せしめる。上記ベルト１４a及び１４bとしては多少伸縮できる材質のものが好ましい。
【００１６】
この実施例においては、上記一方のベルト１４a及び他方のベルト１４b並びにパッド１７の、ブーツの爪先の上部分を締付ける部分１９と、爪先の先端を締付ける部分２０とによりブーツの爪先部分の上部分及び先端部分を同時に締付けることができる。
【００１７】
なお、上記一方のベルト１４a及び他方のベルト１４bの各両端部を互いに一体に形成しても良いが、図３及び図４に示すように一方の端部を一体とし、他方の端部をピン１８により互いに傾動自在に枢支せしめてもよい。
【００１８】
また、上記パッド１７は、図５に示すように厚手のクッション性のあるものとしても良く、また、図６に示すように伸縮性のある薄い生地としても良い。
【００１９】
上記のように本発明のスノーボード用ビンディングにおいては、爪先の上部と爪先を同時に締付けることができ、爪先方向に遊びを生ずることなくブーツを確実にスノーボード用ビンディングに固定できる等大きな利益がある。
【図面の簡単な説明】
【００２０】
【図１】本発明のスノーボード用ビンディングの説明用側面図である。
【図２】図１に示す本発明のスノーボード用ビンディングの要部の平面図である。
【図３】図２に示すバンドの変形を示す平面図である。
【図４】図２に示すバンドの変形を示す平面図である。
【図５】図２のＡ−Ａ線断面図である。
【図６】図５に示すパッドの変形を示す説明図である。
【図７】従来のスノーボード用ビンディングの側面図である。
【図８】従来のスノーボード用ビンディングの正面図である。
【図９】図８に示す従来のスノーボード用ビンディングの説明用正面図である。
【符号の説明】
【００２１】
１    ベースプレート
２    ブーツ
３    バックサポート
４    クッション
５    アンクルストラップ
６    アンクルストラップパッド
７    トゥーストラップ
８    トゥーストラップパッド
９a   一方のバンド
９b   他方のバンド
１０    立ち上がり部
１１    バックル
１２    ラチェットベルト
１３    ロック部
１４a   一方のベルト
１４b   他方のベルト
１５    バンド
１６    バックル
１７    パッド又は連結部材
１８    ピン
１９    爪先の上部分を締付ける部分
２０    爪先の先端を締付ける部分
【図１】
2004154593.tif 000003
【図２】
2004154593.tif 000004
【図３】
2004154593.tif 000005
【図４】
2004154593.tif 000006
【図５】
2004154593.tif 000007
【図６】
2004154593.tif 000008
【図７】
2004154593.tif 000009
【図８】
2004154593.tif 000010
【図９】
2004154593.tif 000011